(57)【要約】【課題】簡単に作られ、製造コストが低く、消費者の需要を満たすことができる折り畳み式箱の本体構造を提供する。【解決手段】硬い質の板で折り畳み式の側面バリアを四つ作って、二つの硬い質の板の間に柔らかい布が側面バリアの折る跡として使われ、硬い質の板の折り畳み式の物置箱であり、柔らかい布がすきではないが、箱本体の折り畳み機能を希望する消費者の需要を満足させ、物置箱が吊る押入れとして使われる時、取っ手が影響しないように設計されている折り畳み式箱の本体構造である。【選択図】　図１
0003098558.tif 000002
【実用新案登録請求の範囲】
【請求項１】
箱本体があり、それは長方形であり、その四つの側面およびボトムにすべてバリアを備え、その四つ側面でのバリアは硬い質の板で、そのボトムのバリアは柔らかい質のものであり、その相対する両側の側面バリアにそれぞれ垂直な折る跡が設けられ、その垂直な折る跡の両側の側面バリアにそれぞれ穴が設けられ、
定位ユニットがあり、それは箱本体の側面バリアの厚さを入れる隙間があり、その定位ユニットに一つの側面バリアの上にある穴および数量に対応する縦方向スロットホールがあり、又、その縦方向スロットホールは、定位ユニットの一側を貫通して、隙間のもう一側まで着くものであり、
固定ユニットがあり、それを定位ユニットでの縦方向スロットホールおよび箱本体での穴を貫通して設けられており、固定ユニットと縦方向スロットホールとの間に弛められた状態で組み合わせてあることを特徴とする折り畳み式箱の本体構造。
【請求項２】
その定位ユニットは板で成型された相互に対称する二つのスロットホール、および２対の縦方向スロットホールを備える平坦な板であり、さらに、その平坦な板を突き合わせて折り畳んだものであることを特徴とする請求項１に記載の折り畳み式箱の本体構造。
【請求項３】
固定ユニットは、ピンシャフトのある雄ピンおよびピンホールのある雌ピンを備え、そのピンシャフトとピンホールとの間に相互に干渉して組み合わせるものであることを特徴とする請求項１に記載の折り畳み式箱の本体構造。
【考案の詳細な説明】
【０００１】
【考案の属する技術分野】
本考案は折り畳み式箱の本体構造に関する。
【０００２】
【従来の技術】
体積することによって収納しやすい従来の折り畳み式箱の本体構造は、柔らかい布で構成を縮小された長方形箱本体の上端の周りにそれぞれ一つの上水平ロッドが設けられ、その箱本体の下端と相対する両側にそれぞれ一つの下水平ロッドが設けられ、箱本体の四つの垂直エッジにそれぞれ１本の縦ロッドが設けられ、その相隣する上水平ロッドの端部の間、相隣する下水平ロッドの端部の間、および縦ロッドと上、下水平ロッドの端部の間、すべてに適切な距離を持って、その箱本体のそれぞれの垂直な壁の面に対角で交差する折線が形成され、この構造によるその柔らかい箱本体は、それぞれの縦ロッド、上水平ロッドおよび下水平ロッドの支えることで物を置くことができる物置箱が形成され、それを折り畳んで扁平な形状になることができるものである。
【０００３】
従来の技術は、箱本体の下端での相対する両側に下水平ロッドを設けることが必要である。そのため、その構造は少し複雑になるので、操作には不便と思われる。又、箱本体は柔らかい布で作られているので、それぞれの角にロッドを支えとして使われるが、本体のそれぞれの面には柔らかいまま、柔らかい布を箱本体の面として使うことが好きではない人にとって、彼らの需要を満たすことができない。しかし、硬い質の板材が箱本体として使われると、折り畳むことができないのである。又、従来の折り畳み式の物置箱に取っ手が設けられると、その取っ手を隠して箱本体の邪魔にならないようにすることができないので、視覚的にも綺麗でなく、その取っ手が邪魔でその箱本体が現在のファッション品が吊られた押入れとして使われることはない。そのため、この考案は従来の折り畳み式の箱本体に存在する欠点を改良するものである。
【０００４】
【考案が解決しようとする課題】
よって本考案は、簡単に作られ、製造コストが低く、消費者の需要を満たすことができる折り畳み式箱の本体構造を提供することである。
【０００５】
【課題を解決するための手段】
上記課題を解決するための本考案の折り畳み式箱の本体構造は、
一、硬い質の板で折り畳み式の側面バリアを四つ作って、二つの硬い質の板の間に柔らかい布が側面バリアの折る跡として使われるので、全体の構造には従来の折り畳み式の物置箱より簡単に作られ、製造コストがさらに低くなるのである。二、硬い質の板で折り畳み式の物置箱であるので、柔らかい布がすきではないが、箱本体の折り畳み機能を希望する消費者の需要を満足させるものである。
三、本考案を物置箱の取っ手と組み合わせることで、箱本体を支えて固定する以外に、その取っ手を収納できるので、物置箱が吊る押入れとして使われる時、取っ手が影響しないように設計されているのである。
【０００６】
【考案の実施の形態】
図１を参照する。それは本考案の一実施例による折り畳み式箱の本体構造を示す分解斜視図である。その中には、箱本体１および２セットの定位ユニット２を含む。その箱本体１は長方形の形状に作られ、その上方に中空の開口が形成され、その周りに側面バリア１０が設けられ、そのボトムにボトムバリア１０１が設けられ、又、ボトムバリア１０１は柔らかい布で作られたものであり、即ち、その側面バリア１０は柔らかい布で硬い質の板に被って構成されたものである。その相対する両側の側面バリア１０に、同じ布で同時に２枚の硬い質の板が被ることで、その２枚の硬い質の板の間に側面バリア１０の垂直な折る跡１３が構成され、その垂直な折る跡１３の相対する両側にある側面バリア１０の上に穴１２が設けられ、その箱本体１のある側面バリアの外側面に取っ手１１が設けられ、その箱本体１にある２個の側面バリア１０の折る跡を曲げることができるので、その箱本体に折る跡のないその他２個の側面バリアを相対に押し付けて接近させることができる。それにより、垂直な折る跡１３のある２個の側面バリア１０を曲げることで（図４を参照する）箱本体の体積を縮小できるので、使用者がその箱本体を簡単に収納できるものである。
【０００７】
その定位ユニット２に、その箱本体１の側面バリア１０の厚さを入れる隙間２０がある。それも図１に表示されている。その定位ユニット２の形状は冂形状になると二つの伸び部２２があるので、この形状が一番良いのである。二つの伸び部２２にすべて縦方向スロットホール２２１が設けられ、その２個の縦方向スロットホール２２の位置を箱本体１での一側面バリア１０の上にある２個の穴１２の位置に対応する。その縦方向スロットホール２２１は、その定位ユニット２の一側から隙間２０を貫通してから、もう一側まで着く。又、その定位ユニット２の上方に横方向スロットホール２１が設けられている。
【０００８】
箱本体１が完全に展開される場合、２セットの定位ユニット２の隙間２０をそれぞれ箱本体１の二つの側面バリア１０の上端エッジに嵌めることで、２個の伸び部２２を垂直な折る跡１３に位置させる。同時に縦方向スロットホール２２１を穴１２に対応させてから固定ユニットを利用して、縦方向スロット穴２２１および穴１２を貫通して、定位ユニット２を側面バリア１０に制限することで、定位ユニット２が側面バリア１０に相対して垂直に移動できるが、相互に分離できない。定位ユニット２を垂直な折る跡１３の両側に跨ぐことで、その側面バリア１０の垂直な折る跡１３が曲がらないので箱本体１が支えられ、物を置くことができるものである（図２を参照）。
【０００９】
定位ユニット２を下へ押して、箱本体の上端とほぼ平行になることで（図２を参照）一般の物置箱として使われ、または図５の通り、吊られる押入れ３の空間３０にある引き出しユニットとして使われる。その吊られる押入れ３をタンスの中に置いて、服か小物を置くことができるものである。
【００１０】
その定位ユニット２が上方へ引っ張られるので（図３を参照）、定位ユニット２の横方向スロットホール２１を利用して箱本体１の取っ手として使われるので、使用者が簡単に物置箱を運ぶことができる。その定位ユニット２が上へ引っ張られた時、側面バリア１０と分離していないので、箱本体の支え効果に影響しないのである。
【００１１】
図１にも定位ユニット２を箱本体１と接続する固定ユニットの実施方式を示す。その中に雄ピン１４および雌ピン１５を含む。雄ピン１４にピンシャフト１４１およびピンシャフト１４１の端部に接続するヘッド部があり、その雌ピン１５に内径がピンシャフト１４１よりやや小さい直径ピンホール１５１がある。その定位ユニット２の隙間２０が側面バリア１０に嵌められた後、雄ピン１４のピンシャフト１４１を利用して、縦方向スロットホール２２１および穴１２を通過してから雌ピン１５のピンホール１５１をピンシャフト１４１と干渉させて相互に固定させることで、雄ピン１４および雌ピン１５を利用して、定位ユニット２を箱本体１に接続する目的を達成できるものである。
【００１２】
本実施例による定位ユニット２は、プラスチック材料を利用して、射出で一体成型するタイプを使うことができ、フレキシブル性質を備える金属の平坦な板を使用して予め成型するタイプも使うことができる。図６に示すＨ形状を参照する。さらに、相互に対称する二つのスロットホール２１、および２対の伸び部２２にある２対の縦方向スロットホール２２１を備え、その平坦な板を突き合わせて折り畳んで、冂形状が形成されるものである。
【図面の簡単な説明】
【図１】本考案の一実施例による折り畳み式箱の本体構造を示す分解斜視図である。
【図２】本考案の一実施例による折り畳み式箱の本体構造を示す外観斜視図である。
【図３】本考案の一実施例による折り畳み式箱の本体構造の定位ユニットを引いて、取っ手として使われる状態を示す外観斜視図である。
【図４】本考案の一実施例による折り畳み式箱の本体構造の箱本体を定位ユニットから取り外した後、箱本体を折り畳める状態を示す外観斜視図である。
【図５】本考案の一実施例による折り畳み式箱の本体構造の箱本体をタンスの中での吊る押入れとして使われている引き出し式の物置箱の状態を示す外観斜視図である。
【図６】本考案の一実施例による折り畳み式箱の本体構造の定位ユニットが、予め成型された相互に対称する２個の横方向のスロットホール、および２対の縦方向のスロットホールを備える平坦な板の構造であることを示す外観斜視図である。
【符号の説明】
１　　箱本体
２　　定位ユニット
３　　吊られる押入れ
１０　　側面バリア
１１　　取っ手
１２　　穴
１３　　折る跡
２０　　隙間
２２　　伸び部
２１　　横方向スロットホール
３０　　空間
１４　　雄ピン
１５　　雌ピン
１０１　　ボトムバリア
１４１　　ピンシャフト
１５１　　ピンホール
２２１　　縦方向スロットホール
【図１】
0003098558.tif 000003
【図２】
0003098558.tif 000004
【図３】
0003098558.tif 000005
【図４】
0003098558.tif 000006
【図５】
0003098558.tif 000007
【図６】
0003098558.tif 000008